(57)【要約】 【課題】通信負荷の増大を抑制し、消費電力の増大を抑制する照明システムを提供する。【解決手段】照明システムは、照明装置と、発信機と、無線通信機と、監視装置とを具備する。発信機は、照明装置に対応する位置に配置され、情報を発信する一方向モードで動作する。無線通信機は、発信機を一方向モードから情報を発信及び受信する双方向モードに切り替える接続要求情報を発信機に送信する。監視装置は、無線通信機を介して発信機と情報を送受信する。例えば、発信機は、所定間隔で設置され、接続要求情報を受信した場合、一方向モードから双方向モードに切り替わった後、受信した接続要求情報を発信する。【選択図】図１
2020161506.tif 000002
【特許請求の範囲】
【請求項１】
通信可能な範囲内に位置する他の照明装置に情報を中継するか否かを切り替え可能な発信機と；
を有し、他の照明装置と通信する通信規格と同じ通信規格を用いて送信された通信機の信号に基づいて前記切り替えを行うことを特徴とする照明装置。
【請求項２】
通信可能な範囲内に位置する他の照明装置に情報を中継するか否かを切り替え可能な発信機を有し、他の照明装置と通信する通信規格と同じ通信規格を用いて送信された信号に基づいて前記切り替えを行う照明装置と通信可能であり、前記照明装置が他の照明装置と通信する通信規格と同じ通信規格を用いて信号を送信する送信部を有する通信機。
【請求項３】
通信可能な範囲内に位置する他の照明装置に情報を中継するか否かを切り替え可能な発信機と；
を有し、他の照明装置と通信する通信規格と同じ通信規格を用いて送信された通信機の信号に基づいて前記切り替えを行うことを特徴とする通信システム。
【発明の詳細な説明】
【技術分野】
【０００１】
本発明の実施形態は、照明装置、通信機及び通信システムに関する。
【背景技術】
【０００２】
従来、非常時に非常用電源を用いて動作し、常時に商用電源から非常用点灯制御部へ供給する電源の一部を用いて動作する無線中継器を具備する照明装置が提供されている。
【先行技術文献】
【特許文献】
【０００３】
【特許文献１】特開２００４−１８５９７８号公報
【発明の概要】
【発明が解決しようとする課題】
【０００４】
ところで、このような照明装置が、例えば所定間隔で複数設置された場合、無線中継器による通信負荷が増大し、消費電力が増大する課題がある。
【０００５】
本発明は、通信負荷の増大を抑制し、消費電力の増大を抑制する照明装置、通信機及び通信システムを提供することを目的とする。
【課題を解決するための手段】
【０００６】
本実施形態の照明装置は、通信可能な範囲内に位置する他の照明装置に情報を中継するか否かを切り替え可能な発信機を具備する。この発信機は他の照明装置と通信する通信規格と同じ通信規格を用いて送信された通信機の信号に基づいて切り替えを行うことができる。
【発明の効果】
【０００７】
実施形態の照明装置は、天井側に取り付けられる天井側構造体と；前記天井側構造体とは別の取付け面に取り付けられる下部構造体と；を具備する。前記天井側構造体は前記天井側に取り付けられる取付部と；前記取付部に設けられ、発光素子を実装した基板と、前記基板を覆う透光性のカバー部材とを有する光源と；前記光源を保持する灯具本体と；を有する灯具を具備する。前記下部構造体は、前記灯具に接続され、前記光源を常用点灯用光源として使用する常用点灯用電源と；ユーザの操作による指示の入力を受け付けるユニットと；を具備する。
【図面の簡単な説明】
【０００８】
【図１】図１は、実施形態に係る照明システムを示す図である。
【図２】図２は、実施形態に係る照明装置の構成を示す図である。
【図３】図３は、実施形態に係る照明装置における双方向モードへの切替えの一例を示すシーケンス図である。
【図４】図４は、実施形態に係る照明装置における双方向モードへの切替えの一例を示すフローチャートである。
【図５】図５は、実施形態に係る点検情報の収集の一例を示すシーケンス図である。
【図６】図６は、実施形態に係る要求情報の通信の一例を示すフローチャートである。
【図７】図７は、実施形態に係る照明装置における受信した点検情報の発信の一例を示すフローチャートである。
【図８】図８は、実施形態に係る照明装置における一方向モードへの切替えの一例を示すシーケンス図である。
【図９】図９は、実施形態に係る照明装置における一方向モードへの切替えの一例を示すフローチャートである。
【発明を実施するための形態】
【０００９】
以下で説明する実施形態に係る照明システム１００は、照明装置１と、照明装置１に対応する位置に配置され、情報を発信する一方向モードで動作する発信機（以下「ビーコン５」とする）と、ビーコン５を一方向モードから情報を発信及び受信する双方向モードに切り替える接続要求情報をビーコン５に送信する無線通信機９と、無線通信機９を介してビーコン５と情報を送受信する監視装置１０とを具備する。
【００１０】
また、以下で説明する実施形態に係る照明システム１００において、ビーコン５は、所定間隔で設置され、接続要求情報を受信した場合、一方向モードから双方向モードに切り替わった後、受信した接続要求情報を発信する。
【００１１】
また、以下で説明する実施形態に係る照明システム１００において、ビーコン５は、無線通信機９から双方向モードから一方向モードへ切り替える切断要求情報を受信した場合、受信した切断要求情報を発信した後、双方向モードから一方向モードに切り替わる。
【００１２】
また、以下で説明する実施形態に係る照明システム１００において、ビーコン５は、双方向モード時において、所定の情報を要求する要求情報または切断要求情報または接続要求情報を所定の期間受信しない場合、双方向モードから一方向モードに切り替わる。
【００１３】
また、以下で説明する実施形態に係る照明システム１００において、照明装置１は、非常用照明装置であり、ビーコン５は、双方向モード時において、自装置の点検情報を要求する要求情報を受信した場合、点検情報を発信する。
【００１４】
また、以下で説明する実施形態に係る照明システム１００において、ビーコン５は、双方向モード時において、他のビーコン５から受信した点検情報を発信する。
【００１５】
［実施形態］
まず、本発明の実施形態に係る照明システム１００を図面に基づいて説明する。図１は、実施形態に係る照明システムを示す図である。図１では、無線通信機９が照明装置１から受信した点検情報を監視装置１０へ送信する場合を例示する。なお、点検情報とは、照明装置１における各部の状態を示す情報であるが、詳細は後述する。
【００１６】
図１に示す照明システム１００は、複数の照明装置１Ａ、１Ｂ、１Ｃを具備する。図１では、照明装置１Ａが発信機であるビーコン５Ａを搭載する場合を示す。すなわち、照明装置１Ａは、ビーコン５Ａと光源である非常用ランプ２Ａとを具備する。また、照明装置１Ｂは、ビーコン５Ｂと非常用ランプ２Ｂとを具備する。また、照明装置１Ｃは、ビーコン５Ｃと非常用ランプ２Ｃとを具備する。以下では、照明装置１Ａ、１Ｂ、１Ｃについて、特に区別なく説明する場合には、照明装置１と記載する。また、ビーコン５Ａ、５Ｂ、５Ｃについて、特に区別なく説明する場合には、ビーコン５と記載する。また、非常用ランプ２Ａ、２Ｂ、２Ｃについて、特に区別なく説明する場合には、非常用ランプ２と記載する。
【００１７】
例えば、照明装置１は、例えば非常灯等の非常用照明装置である。この場合、照明装置１は、停電時に避難誘導のために室内や廊下を照らす。なお、照明装置１は、非常口や避難通路を示すために設置される誘導灯であってもよい。また、照明装置１は、常時は照明装置として点灯し、停電時に避難誘導のために室内や廊下を照らす照明装置であってもよい。
【００１８】
ビーコン５は、外部からの要求に応じて、一方向モード（「ＡＤＶＥＲＴＩＳＩＮＧ  ＭＯＤＥ」と称される場合がある）から情報を発信及び受信する双方向モード（「ＣＯＮＮＥＣＴＩＯＮ  ＭＯＤＥ」と称される場合がある）に切り替える。また、ビーコン５は、外部からの要求に応じて、双方向モードから一方向モードに切り替える。また、ビーコン５は、所定の条件を満たす場合、双方向モードから一方向モードに切り替える。なお、ここでいう、一方向モードとは、所定間隔で自装置の識別情報を発信し、後述する接続要求情報等の所定の情報を受信可能なモードを言う。また、ここでいう、双方向モードとは、一方向モードよりも多量の情報を発信及び受信可能であり、外部からの情報の受信に応じて点検情報を発信するモードを言う。また、双方向モードは、一方向モードよりも消費電力が大きいものとする。
【００１９】
また、ビーコン５は、一方向モードにおいては、所定間隔で自装置の識別情報を発信する。また、ビーコン５は、双方向モード時において、外部装置からの要求情報に応じて自装置の点検情報を発信する。以下の説明では、照明装置１のビーコン５が各種情報を発信したり受信したりすることを、照明装置１が各種情報を発信したり受信したりすると記載する場合がある。また、照明装置１のビーコン５がモードを切り替えることを、照明装置１がモードを切り替えると記載する場合がある。
【００２０】
照明システム１００は、上述した照明装置１と、監視装置１０と、照明装置１及び監視装置１０と通信可能な無線通信機９とを具備する。例えば、無線通信機９は、監視装置１０と所定のネットワークＮ１１により通信を行う。例えば、ネットワークＮ１１は、有線通信である。また、例えば、ネットワークＮ１１は、３Ｇ（Generation）または４ＧまたはＬＴＥ（Long  Term  Evolution）といったモバイルデータ通信規格による無線通信であってもよい。また、例えば、無線通信機９は、照明装置１が有するビーコン５と無線通信Ｃ１１により通信を行う。例えば、無線通信Ｃ１１は、２．４ＧＨｚ帯使用Ｂｌｕｅｔｏｏｔｈ（登録商標）  Ｌｏｗ  Ｅｎｅｒｇｙ(以下、「ＢＬＥ」とする)無線通信規格による通信である。なお、図１では、無線通信機９は、照明装置１Ａと無線通信Ｃ１１が可能な位置にあるものとする。
【００２１】
図１に示すように、照明装置１Ａは、通信エリアＲ１１の範囲内に位置する他の照明装置１と無線通信Ｃ１２−１が可能である。例えば、無線通信Ｃ１２−１は、ＢＬＥ無線通信規格による通信である。
【００２２】
ここで、図１に示す例において、中央部に位置する照明装置１Ｂは、通信エリアＲ１１の範囲内に位置し、左側に位置する照明装置１Ｃは、通信エリアＲ１１の範囲外に位置する。すなわち、図１に示す例においては、照明装置１Ａは、照明装置１Ｂとは無線通信が可能である。そのため、照明装置１Ａと照明装置１Ｂとは、無線通信Ｃ１２−１により互いに他の照明装置１が発信する各種情報の受信が可能となる。一方、照明装置１Ａと照明装置１Ｃとは、互いに他の照明装置１が発信する各種情報を直接受信することができない。
【００２３】
また、図１に示すように、照明装置１Ｂは、通信エリアＲ１２の範囲内に位置する他の照明装置１と無線通信Ｃ１２−２が可能である。例えば、無線通信Ｃ１２−２は、ＢＬＥ無線通信規格による通信である。ここで、図１に示す例において、左側に位置する照明装置１Ｃは、通信エリアＲ１２の範囲内に位置する。すなわち、図１に示す例においては、照明装置１Ｂは、照明装置１Ｃとも無線通信が可能である。そのため、照明装置１Ｂと照明装置１Ｃとは、無線通信Ｃ１２−２により互いに他の照明装置１が発信する各種情報の受信が可能となる。
【００２４】
監視装置１０は、照明装置１を管理制御する装置である。例えば、監視装置１０は、照明装置１から取得した点検情報に基づいて照明装置１の状態を管理する。監視装置１０は、例えば、各照明装置１の設置位置と各照明装置１のビーコン５が発信する識別情報とを対応付けて管理する。これにより、監視装置１０は、識別情報を受信することによりどの位置に設置された照明装置１に関する情報かを特定できる。
【００２５】
無線通信機９は、照明装置１の点検を行う照明システム１００の管理者等が使用する携帯端末である。例えば、無線通信機９は、スマートフォンやタブレット端末等である。例えば、無線通信機９には、照明装置１の点検を行うためのアプリケーション（以下単に「アプリ」とする）がインストールされている。また、無線通信機９は、照明装置１に各種情報を送信する。例えば、無線通信機９は、監視装置１０から受信した要求情報を照明装置１に送信する。また、無線通信機９は、監視装置１０に各種情報を送信する。例えば、無線通信機９は、照明装置１から受信した識別情報や点検情報を監視装置１０に送信する。
【００２６】
ここで、照明装置１は、一方向モードから情報を発信及び受信する双方向モードに切り替える接続要求情報を外部から受信するまで一方向モードで動作し、所定間隔で自装置の識別情報を発信する。これにより、照明装置１は、接続要求情報を受信するまでは、双方向モードよりも省電力な一方向モードで動作するため、電力消費の増大を抑制することができる。
【００２７】
照明装置１は、外部から接続要求情報を受信すると一方向モードから双方向モードへ切り替わる。そして、照明装置１は、一方向モードから双方向モードへ切り替わった後、受信した接続要求情報を発信する。
【００２８】
図１に示す例では、照明装置１Ａは、監視装置１０が無線通信機９に送信した接続要求情報を、無線通信機９から無線通信Ｃ１１により受信する。接続要求情報を受信した照明装置１Ａは、一方向モードから双方向モードへ切り替わった後、受信した接続要求情報を発信する。
【００２９】
そして、照明装置１Ｂは、無線通信Ｃ１２−１により照明装置１Ａが発信した接続要求情報を受信する。接続要求情報を受信した照明装置１Ｂは、一方向モードから双方向モードへ切り替わった後、受信した接続要求情報を発信する。
【００３０】
また、照明装置１Ｃは、無線通信Ｃ１２−２により照明装置１Ｂが発信した接続要求情報を受信する。接続要求情報を受信した照明装置１Ｃは、一方向モードから双方向モードへ切り替わる。これにより、各照明装置１は、一方向モードから双方向モードに切り替わり、通信可能な範囲内に位置する他の照明装置１に情報を中継し、メッシュネットワークを形成する。これにより、無線通信機９を利用する照明システム１００の管理者等は、自身が移動することなく情報を収集できる範囲を拡大することができる。これにより、照明システム１００は、照明システム１００の管理者等の負担を軽減できる。そして、照明装置１は、無線通信機９からの指示に基づく情報を中継する。なお、照明システム１００においてメッシュネットワークを形成した照明装置１が情報を中継する例は後述する。
【００３１】
また、照明装置１は、双方向モードから一方向モードへ切り替える切断要求情報を外部から受信すると、受信した切断要求情報を発信し、双方向モードから一方向モードへ切り替わる。
【００３２】
図１に示す例では、照明装置１Ａは、監視装置１０が無線通信機９に送信した切断要求情報を、無線通信機９から無線通信Ｃ１１により受信する。切断要求情報を受信した照明装置１Ａは、受信した切断要求情報を発信し、双方向モードから一方向モードへ切り替わる。
【００３３】
そして、照明装置１Ｂは、無線通信Ｃ１２−１により照明装置１Ａが発信した切断要求情報を受信する。切断要求情報を受信した照明装置１Ｂは、受信した切断要求情報を発信し、双方向モードから一方向モードへ切り替わる。
【００３４】
また、照明装置１Ｃは、無線通信Ｃ１２−２により照明装置１Ｂが発信した切断要求情報を受信する。切断要求情報を受信した照明装置１Ｃは、双方向モードから一方向モードへ切り替わる。これにより、照明システム１００は、照明装置１を双方向モードにしてメッシュネットワークを形成することが必要なくなった際には、照明装置１を一方向モードに戻す。したがって、照明システム１００は、通信負荷の増大を抑制し、消費電力の増大を抑制することができる。
【００３５】
また、照明装置１は、所定の情報を要求する要求情報や切断要求情報や切断要求情報を所定の期間受信しない場合、自動的に双方向モードから前記一方向モードに切り替わる。これにより、照明システム１００は、自律的に判断して双方向モードよりも省電力な一方向モードに切り替えることができるため、管理者等の負担を軽減することができる。このように、照明システム１００は、照明装置１を双方向モードにしてメッシュネットワークを形成することが必要なくなった際には、自動的に照明装置１を一方向モードに戻す。したがって、照明システム１００は、通信負荷の増大を抑制し、消費電力の増大を抑制することができる。
【００３６】
［照明装置の構成例］
次に、図２を用いて、実施形態に係る照明装置１の構成について説明する。図２は、実施形態に係る照明装置の構成を示す図である。図２に示すように、照明装置１は、非常用ランプ２と、非常用電源３と、非常用点灯制御部４と、ビーコン５と、商用電源６と、点検部７と、格納部８とを有する。
【００３７】
非常用ランプ２は、商用電源６による電力供給が停止した場合、いわゆる停電時に少なくとも点灯する光源である。以下では、商用電源６による電力供給が停止した状態を「非常時」とし、商用電源６により電力供給されている状態を「常時」とする場合がある。また、非常用ランプ２としては、蛍光灯やＬＥＤ（Light  Emitting  Diode）等、目的に応じて種々の光源が用いられてもよい。
【００３８】
非常用電源３は、商用電源６による電力供給が停止した場合、非常用ランプ２に電力供給を行う蓄電池（二次電池）である。非常用電源３は、目的に応じて種々の蓄電池が用いられてもよい。また、非常用電源３は、商用電源６による電力供給時に充電される。すなわち、非常用電源３は、常時において商用電源６による電力供給により充電される。なお、非常用電源３は、トリクル充電や間欠充電等の種々の充電方式を適宜用いて充電されてもよい。
【００３９】
非常用点灯制御部４は、常時に非常用電源３の充電を行い、非常時に非常用ランプ２を非常用電源３により点灯させる。例えば、非常用ランプ２は、非常時のみ非常用点灯制御部４から電源供給され点灯する。また、非常用点灯制御部４は、各種の処理手順などを規定したプログラムおよび所要データを格納するための内部メモリを有し、これらによって種々の処理を実行してもよい。
【００４０】
ビーコン５は、無線通信機能により所定間隔で自装置の識別情報を発信する発信機である。上述したように、ビーコン５は、一方向モードと双方向モードとを切替え可能である。また、ビーコン５は、双方向モード時において、自装置の点検情報を発信する。
【００４１】
また、ビーコン５は、所定の情報を受信する。例えば、ビーコン５は、点検情報を要求する要求情報を受信する。例えば、ビーコン５は、双方向モード時において点検情報を要求する要求情報を受信した場合、格納部８に格納された点検情報を発信する。なお、ビーコン５は、点検情報を要求する要求情報を受信した場合、双方向モードに切り替わり、格納部８に格納された点検情報を発信してもよい。
【００４２】
また、ビーコン５は、常時において商用電源６から非常用点灯制御部４へ供給される電源の一部を用いて動作する。また、ビーコン５は、非常時において非常用電源３から非常用点灯制御部４へ供給される電源の一部を用いて動作する。
【００４３】
商用電源６は、例えば、所定の電力会社から供給される電力源である。商用電源６は、常時において、非常用点灯制御部４経由で非常用電源３の充電および非常用点灯制御部４への電源供給を行う。また、商用電源６は、非常用電源３からの電力供給以外であれば、どのような電力供給手段であってもよい。
【００４４】
点検部７は、例えば、自装置を点検し、自装置の点検情報を収集する。具体的には、点検部７は、非常用ランプ２、非常用電源３、非常用点灯制御部４、及びビーコン５等の点検に必要な各機器の状態を点検情報としてモニタして収集する。また、点検部７は常時において商用電源６から非常用点灯制御部４へ供給される電源の一部を用いて動作する。
【００４５】
格納部８は、点検部７により収集された点検情報を格納する。また、格納部８は、要求情報を受信したビーコン５により格納した点検情報が読み出される。また、格納部８は、非常用点灯制御部４による各種処理に必要なデータおよびプログラムを格納してもよい。なお、格納部８とは、ＲＡＭ（Random  Access  Memory）、ＲＯＭ（Read  Only  Memory）、フラッシュメモリ（Flash  Memory）などの半導体メモリ素子などの記憶装置であってもよい。また、格納部８は常時において商用電源６から非常用点灯制御部４へ供給される電源の一部を用いて動作する。
【００４６】
［一方向モードから双方向モードへの切替え］
ここで、照明システム１００における照明装置１の一方向モードから双方向モードへの切替えの具体例を図面に基づいて説明する。図３は、実施形態に係る照明装置における双方向モードへの切替えの一例を示すシーケンス図である。なお、図３に示す例における照明装置１Ａ〜１Ｃは、図１に示す例における照明装置１Ａ〜１Ｃに対応する。
【００４７】
図３に示すように、監視装置１０は、照明装置１を一方向モードから双方向モードに切り替える接続要求情報を無線通信機９に送信する（ステップＳ１１）。
【００４８】
ここで、監視装置１０から接続要求情報を受信した無線通信機９は、周辺にある照明装置１（ビーコン５）をスキャンする。無線通信機９がスキャンするときに、ビーコン５を発信した識別情報を受信すると、受信した識別情報に対応するビーコン５に接続要求情報を送信する。図３に示す例においては、無線通信機９は、監視装置１０から受信した接続要求情報を照明装置１Ａに送信する（ステップＳ１２）。
【００４９】
無線通信機９から接続要求情報を受信した照明装置１Ａは、一方向モードから双方向モードに切り替える（ステップＳ１３）。そして、照明装置１Ａは、無線通信機９から受信した接続要求情報を発信する（ステップＳ１４）。そして、照明装置１Ａと通信可能な範囲内に位置する照明装置１Ｂは、照明装置１Ａが発信する接続要求情報を受信する。
【００５０】
照明装置１Ａが発信する接続要求情報を受信した照明装置１Ｂは、一方向モードから双方向モードに切り替える（ステップＳ１５）。そして、照明装置１Ｂは、照明装置１Ａから受信した接続要求情報を発信する（ステップＳ１６）。そして、照明装置１Ｂと通信可能な範囲内に位置する照明装置１Ｃは、照明装置１Ｂが発信する接続要求情報を受信する。
【００５１】
照明装置１Ｂが発信する接続要求情報を受信した照明装置１Ｃは、一方向モードから双方向モードに切り替える（ステップＳ１７）。これにより、照明装置１Ａ〜１Ｃは、一方向モードから双方向モードに切り替わる。また、照明装置１Ｃは、照明装置１Ｂから受信した接続要求情報を発信する。そして、照明装置１Ｃと通信可能な範囲内に位置する他の照明装置１は、照明装置１Ｃが発信する接続要求情報を受信する。
【００５２】
［双方向モードへの切替えに関するフロー］
次に、照明装置１における双方向モードへの切替えについて説明する。図４は、実施形態に係る照明装置における双方向モードへの切替えの一例を示すフローチャートである。
【００５３】
まず、照明装置１は、接続要求情報を受信したかどうかを判定する（ステップＳ１０１）。照明装置１は、接続要求情報を受信していない場合（ステップＳ１０１：Ｎｏ）、ステップＳ１０１の判定を繰り返す。なお、照明装置１は、一方向モードにおいては、所定間隔で自装置の識別情報を発信する。
【００５４】
また、照明装置１は、接続要求情報を受信した場合（ステップＳ１０１：Ｙｅｓ）、双方向モードに切り替える（ステップＳ１０２）。その後、照明装置１は、受信した接続要求情報を発信する（ステップＳ１０３）。
【００５５】
［点検情報の収集］
次に、照明システム１００における点検情報の収集の具体例を図面に基づいて説明する。図５は、実施形態に係る点検情報の収集の一例を示すシーケンス図である。なお、図５に示す例における照明装置１Ａ〜１Ｃは、図１に示す例における照明装置１Ａ〜１Ｃに対
応する。また、図５に示す例においては、監視装置１０が、照明装置１Ｃの点検情報の収集を行う場合を示す。また、図５に示す例においては、照明装置１は、双方向モードで動作中であるものとする。
【００５６】
図５に示すように、監視装置１０は、照明装置１Ｃの点検情報を要求する要求情報を無線通信機９に送信する（ステップＳ２１）。例えば、監視装置１０は、照明装置１Ｃを識別する情報を含む要求情報を無線通信機９に送信する。
【００５７】
ここで、監視装置１０から要求情報を受信した無線通信機９は、周辺にある照明装置１（ビーコン５）をスキャンする。無線通信機９がスキャンするときに、ビーコン５を発信した識別情報を受信すると、受信した識別情報に対応するビーコン５に要求情報を送信する。図５に示す例においては、無線通信機９は、監視装置１０から受信した要求情報を照明装置１Ａに送信する（ステップＳ２２）。
【００５８】
無線通信機９から要求情報を受信した照明装置１Ａは、要求情報が自装置宛であるかを判定し、自装置宛以外の要求情報である場合、受信した要求情報を発信する（ステップＳ２３）。図５に示す例においては、要求情報は、照明装置１Ｃの点検情報を要求する要求情報であるため、照明装置１Ａは、要求情報が自装置宛でないと判定し、受信した要求情報を発信する。
【００５９】
照明装置１Ａが発信する要求情報を受信した照明装置１Ｂは、要求情報が自装置宛であるかを判定し、自装置宛以外の要求情報である場合、受信した要求情報を発信する（ステップＳ２４）。図５に示す例においては、要求情報は、照明装置１Ｃの点検情報を要求する要求情報であるため、照明装置１Ｂは、要求情報が自装置宛でないと判定し、受信した要求情報を発信する。
【００６０】
照明装置１Ｂが発信する要求情報を受信した照明装置１Ｃは、要求情報が自装置宛であるかを判定し、自装置宛以外の要求情報である場合、自装置の点検情報を読み出す（ステップＳ２５）。図５に示す例においては、要求情報は、照明装置１Ｃの点検情報を要求する要求情報であるため、照明装置１Ｃは、要求情報が自装置宛であると判定し、自装置の点検情報を格納部８から読み出す。そして、照明装置１Ｃは、読み出した点検情報を発信する（ステップＳ２６）。
【００６１】
照明装置１Ｃが発信する点検情報を受信した照明装置１Ｂは、受信した点検情報を発信する（ステップＳ２７）。また、照明装置１Ｂが発信する点検情報を受信した照明装置１Ａは、受信した点検情報を発信する（ステップＳ２８）。
【００６２】
そして、照明装置１Ａが発信する点検情報を受信した無線通信機９は、受信した点検情報を監視装置１０へ送信する（ステップＳ２９）。これにより、監視装置１０は、照明装置１Ｃの点検情報を収集できる。つまり、無線通信機９を利用する管理者等は、照明装置１Ｃの設置された位置まで移動して、照明装置１Ｃの点検情報を収集することなく、照明装置１Ｃの点検情報を収集できる。これにより、照明システム１００は、点検を容易化することができる。
【００６３】
［点検情報の収集に関するフロー］
次に、照明システム１００における要求情報の通信について説明する。図６は、実施形態に係る要求情報の通信の一例を示すフローチャートである。
【００６４】
まず、照明装置１は、要求情報を受信したかどうかを判定する（ステップＳ２０１）。照明装置１は、要求情報を受信していない場合（ステップＳ２０１：Ｎｏ）、ステップＳ
２０１の判定を繰り返す。
【００６５】
照明装置１は、要求情報を受信した場合（ステップＳ２０１：Ｙｅｓ）、要求情報が自装置宛であるかどうかを判定する（ステップＳ２０２）。
【００６６】
照明装置１は、要求情報が自装置宛でない場合（ステップＳ２０２：Ｎｏ）、受信した要求情報を発信する（ステップＳ２０３）。
【００６７】
一方、照明装置１は、要求情報が自装置宛である場合（ステップＳ２０２：Ｙｅｓ）、点検情報を読み出す（ステップＳ２０４）。そして、照明装置１は、読み出した点検情報を発信する（ステップＳ２０５）。
【００６８】
次に、照明装置１における受信した点検情報の発信について説明する。図７は、実施形態に係る照明装置における受信した点検情報の発信の一例を示すフローチャートである。
【００６９】
まず、照明装置１は、点検情報を受信したかどうかを判定する（ステップＳ２１１）。照明装置１は、点検情報を受信していない場合（ステップＳ２１１：Ｎｏ）、ステップＳ２１１の判定を繰り返す。
【００７０】
照明装置１は、点検情報を受信した場合（ステップＳ２１１：Ｙｅｓ）、受信した点検情報を発信する（ステップＳ２１２）。
【００７１】
［双方向モードから一方向モードへの切替え］
次に、照明システム１００における照明装置１の双方向モードから一方向モードへの切替えの具体例を図面に基づいて説明する。図８は、実施形態に係る照明装置における一方向モードへの切替えの一例を示すシーケンス図である。なお、図８に示す例における照明装置１Ａ〜１Ｃは、図１に示す例における照明装置１Ａ〜１Ｃに対応する。
【００７２】
図８に示すように、監視装置１０は、照明装置１を双方向モードから一方向モードに切り替える切断要求情報を無線通信機９に送信する（ステップＳ３１）。
【００７３】
ここで、監視装置１０から切断要求情報を受信した無線通信機９は、周辺にある照明装置１（ビーコン５）をスキャンする。無線通信機９がスキャンするときに、ビーコン５を発信した識別情報を受信すると、受信した識別情報に対応するビーコン５に切断要求情報を送信する。図８に示す例においては、無線通信機９は、監視装置１０から受信した切断要求情報を照明装置１Ａに送信する（ステップＳ３２）。
【００７４】
無線通信機９から切断要求情報を受信した照明装置１Ａは、無線通信機９から受信した切断要求情報を発信する（ステップＳ３３）。また、照明装置１Ａは、双方向モードから一方向モードに切り替える（ステップＳ３４）。なお、ステップＳ３３とステップＳ３４とは同時であってもよい。その後、照明装置１Ａと通信可能な範囲内に位置する照明装置１Ｂは、照明装置１Ａが発信する切断要求情報を受信する。
【００７５】
照明装置１Ａが発信する切断要求情報を受信した照明装置１Ｂは、照明装置１Ａから受信した切断要求情報を発信する（ステップＳ３５）。また、照明装置１Ｂは、双方向モードから一方向モードに切り替える（ステップＳ３６）。なお、ステップＳ３５とステップＳ３６とは同時であってもよい。その後、照明装置１Ｂと通信可能な範囲内に位置する照明装置１Ｃは、照明装置１Ｂが発信する切断要求情報を受信する。
【００７６】
照明装置１Ｂが発信する切断要求情報を受信した照明装置１Ｃは、双方向モードから一
方向モードに切り替える（ステップＳ３７）。これにより、照明装置１Ａ〜１Ｃは、双方向モードから一方向モードに切り替わる。また、照明装置１Ｃは、照明装置１Ｂから受信した切断要求情報を発信する。そして、照明装置１Ｃと通信可能な範囲内に位置する他の照明装置１は、照明装置１Ｃが発信する切断要求情報を受信する。
【００７７】
［一方向モードへの切替えに関するフロー］
次に、照明装置１における一方向モードへの切替えについて説明する。図９は、実施形態に係る照明装置における一方向モードへの切替えの一例を示すフローチャートである。
【００７８】
まず、照明装置１は、切断要求情報を受信したかどうかを判定する（ステップＳ３０１）。照明装置１は、切断要求情報を受信していない場合（ステップＳ３０１：Ｎｏ）、ステップＳ３０１の判定を繰り返す。
【００７９】
また、照明装置１は、切断要求情報を受信した場合（ステップＳ３０１：Ｙｅｓ）、受信した切断要求情報を発信する（ステップＳ３０２）。その後、照明装置１は、一方向モードに切り替える（ステップＳ３０３）。なお、照明装置１は、所定の期間に情報を受信しない場合、一方向モードに切り替えてもよい。
【００８０】
上述のように、実施形態に係る照明システム１００は、照明装置１と、照明装置１に対応する位置に配置され、情報を発信する一方向モードで動作する発信機（実施形態においては「ビーコン５」。以下同じ）と、ビーコン５を一方向モードから情報を発信及び受信する双方向モードに切り替える接続要求情報をビーコン５に送信する無線通信機９と、無線通信機９を介してビーコン５と情報を送受信する監視装置１０とを具備する。
【００８１】
これにより、例えば、照明システム１００において、各照明装置１は、一方向モードから双方向モードに切り替わり、通信可能な範囲内に位置する他の照明装置１に情報を中継し、メッシュネットワークを形成する。これにより、無線通信機９を利用する管理者等は、自身が移動することなく情報を収集できる範囲を拡大することができる。また、照明システム１００は、照明装置１を双方向モードにしてメッシュネットワークを形成することが必要なくなった際には、照明装置１を一方向モードで動作させる。したがって、照明システム１００は、通信負荷の増大を抑制し、消費電力の増大を抑制することができる。
【００８２】
また、上述した実施形態に係る照明システム１００において、ビーコン５は、所定間隔で設置され、接続要求情報を受信した場合、一方向モードから双方向モードに切り替わった後、受信した接続要求情報を発信する。
【００８３】
これにより、例えば、照明システム１００において、各照明装置１は、一方向モードから双方向モードに切り替わり、通信可能な範囲内に位置する他の照明装置１に情報を中継し、メッシュネットワークを形成する。これにより、無線通信機９を利用する照明システム１００の管理者等は、自身が移動することなく情報を収集できる範囲を拡大することができる。したがって、照明システム１００は、照明システム１００の管理者等の負担を軽減できる。
【００８４】
また、上述した実施形態に係る照明システム１００において、ビーコン５は、無線通信機９から双方向モードから一方向モードへ切り替える切断要求情報を受信した場合、受信した切断要求情報を発信した後、双方向モードから一方向モードに切り替わる。
【００８５】
これにより、例えば、照明システム１００において、照明装置１は、接続要求情報を受信することにより、双方向モードよりも省電力な一方向モードに戻るため、電力消費の増大を抑制することができる。
【００８６】
また、上述した実施形態に係る照明システム１００において、ビーコン５は、双方向モード時において、所定の情報を要求する要求情報または切断要求情報または接続要求情報を所定の期間受信しない場合、双方向モードから一方向モードに切り替わる。
【００８７】
これにより、例えば、照明システム１００は、自律的に判断して双方向モードよりも省電力な一方向モードに切り替えることができるため、管理者等の負担を軽減することができる。このように、照明システム１００は、照明装置１を双方向モードにしてメッシュネットワークを形成することが必要なくなった際には、自動的に照明装置１を一方向モードに戻す。したがって、照明システム１００は、通信負荷の増大を抑制し、消費電力の増大を抑制することができる。
【００８８】
上述した実施形態に係る照明システム１００において、照明装置１は、非常用照明装置である。また、ビーコン５は、双方向モード時において、自装置の点検情報を要求する要求情報を受信した場合、点検情報を発信する。
【００８９】
これにより、例えば、照明システム１００において、監視装置１０は、照明装置１Ｃの点検情報を収集できる。つまり、無線通信機９を利用する照明システム１００の管理者等は、照明装置１Ｃの設置された位置まで移動して、照明装置１Ｃの点検情報を収集することなく、照明装置１Ｃの点検情報を収集できる。これにより、照明システム１００は、点検を容易化することができる。
【００９０】
上述した実施形態に係る照明システム１００において、ビーコン５は、双方向モード時において、他のビーコン５から受信した点検情報を発信する。
【００９１】
これにより、例えば、照明システム１００において、監視装置１０は、照明装置１Ｃの点検情報を収集できる。つまり、無線通信機９を利用する照明システム１００の管理者等は、照明装置１Ｃの設置された位置まで移動して、照明装置１Ｃの点検情報を収集することなく、照明装置１Ｃの点検情報を収集できる。これにより、照明システム１００は、点検を容易化することができる。
【００９２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。また、これらの実施形態やその変形は、処理内容を矛盾させない範囲で適宜組み合わせることが可能である。
【符号の説明】
【００９３】
１００    照明システム
１        照明装置
２        非常用ランプ
３        非常用電源
４        非常用点灯制御部
５        ビーコン
６        商用電源
７        点検部
８        格納部
９        無線通信機
１０      監視装置
【図１】
2020161506.tif 000003
【図２】
2020161506.tif 000004
【図３】
2020161506.tif 000005
【図４】
2020161506.tif 000006
【図５】
2020161506.tif 000007
【図６】
2020161506.tif 000008
【図７】
2020161506.tif 000009
【図８】
2020161506.tif 000010
【図９】
2020161506.tif 000011